(57)【要約】【課題】異なる通信端末装置において、ブックマークや表示履歴等のブラウザにおいて使用されるデータを共有することができるブラウザデータ共有システム、サーバ、方法およびプログラムを提供する。【解決手段】ブックマーク登録時に、パーソナルコンピュータ３は、ユーザ識別情報と登録するＷｅｂページのＵＲＬ情報とを含む情報をサーバ１に送信する。サーバ１は、受信したＵＲＬ情報を予め定められたフォーマットに変換し、ユーザ識別情報と対応付けてブックマークデータベースに保存する。ブックマーク参照時に、携帯電話機４は、ユーザ識別情報とユーザエージェント情報とを含む情報をサーバ１に送信する。サーバ１は、受信したユーザ識別情報に対応するＵＲＬ情報をブックマークデータベースから抽出し、抽出したＵＲＬ情報をユーザエージェント情報にもとづいて最適なフォーマットに変換して、携帯電話機４に送信する。【選択図】図１
2008097201.tif 000002
【特許請求の範囲】
【請求項１】
Ｗｅｂサイトの所在を示すブラウザデータを通信端末装置間で共有するブラウザデータ共有システムであって、
第１の通信端末装置から受信したブラウザデータを記憶するデータ記憶手段と、
前記第１の通信端末装置とは異なる種類のブラウザを搭載した第２の通信端末装置から、当該第２の通信端末装置が搭載するブラウザを特定可能なユーザエージェント情報を、通信ネットワークを介して受信する受信手段と、
前記受信手段が受信したユーザエージェント情報にもとづいて、前記データ記憶手段が記憶するブラウザデータのフォーマットを変換するフォーマット変換手段と、
前記フォーマット変換手段が変換した変換後のブラウザデータを前記第２の通信端末装置に送信するデータ送信手段と
を備えたことを特徴とするブラウザデータ共有システム。
【請求項２】
第１の通信端末装置から受信したブラウザデータを予め定められたフォーマットに変換するデータ変換手段を備え、
データ記憶手段は、前記データ変換手段が変換した変換後のブラウザデータを記憶する
請求項１記載のブラウザデータ共有システム。
【請求項３】
ユーザを識別するためのユーザ識別情報を受信するユーザ識別情報受信手段を備え、
データ記憶手段は、ブラウザデータをユーザ識別情報に対応付けて記憶し、
フォーマット変換手段は、前記ユーザ識別情報受信手段が受信したユーザ識別情報にもとづいてブラウザデータを抽出し、抽出したブラウザデータのフォーマットを変換する
請求項１または請求項２記載のブラウザデータ共有システム。
【請求項４】
Ｗｅｂサイトの所在を示すブラウザデータを通信端末装置間で共有するブラウザデータ共有サーバであって、
第１の通信端末装置から受信したブラウザデータを記憶するデータ記憶手段と、
前記第１の通信端末装置とは異なる種類のブラウザを搭載した第２の通信端末装置から、当該第２の通信端末装置が搭載するブラウザを特定可能なユーザエージェント情報を、通信ネットワークを介して受信する受信手段と、
前記受信手段が受信したユーザエージェント情報にもとづいて、前記データ記憶手段が記憶するブラウザデータのフォーマットを変換するフォーマット変換手段と、
前記フォーマット変換手段が変換した変換後のブラウザデータを前記第２の通信端末装置に送信するデータ送信手段と
を備えたことを特徴とするブラウザデータ共有サーバ。
【請求項５】
Ｗｅｂサイトの所在を示すブラウザデータを通信端末装置間で共有するブラウザデータ共有方法であって、
第１の通信端末装置から受信したブラウザデータを記憶手段に記憶させ、
前記第１の通信端末装置とは異なる種類のブラウザを搭載した第２の通信端末装置から、当該第２の通信端末装置が搭載するブラウザを特定可能なユーザエージェント情報を、通信ネットワークを介して受信し、
受信したユーザエージェント情報にもとづいて、前記記憶手段が記憶するブラウザデータのフォーマットを変換し、
変換後のブラウザデータを前記第２の通信端末装置に送信する
ことを特徴とするブラウザデータ共有方法。
【請求項６】
Ｗｅｂサイトの所在を示すブラウザデータを通信端末装置間で共有するためのブラウザデータ共有プログラムであって、
コンピュータに、
第１の通信端末装置から受信したブラウザデータを記憶させる処理と、
前記第１の通信端末装置とは異なる種類のブラウザを搭載した第２の通信端末装置から、当該第２の通信端末装置が搭載するブラウザを特定可能なユーザエージェント情報を、通信ネットワークを介して受信する処理と、
受信したユーザエージェント情報にもとづいて、前記記憶手段が記憶するブラウザデータのフォーマットを変換する処理と、
変換後のブラウザデータを前記第２の通信端末装置に送信する処理と
を実行させるためのブラウザデータ共有プログラム。
【発明の詳細な説明】
【技術分野】
【０００１】
本発明は、Ｗｅｂブラウザにおいて使用されるブックマークや表示履歴等のブラウザデータを共有するブラウザデータ共有システム、ブラウザデータ共有サーバ、ブラウザデータ共有方法およびブラウザデータ共有プログラムに関する。
【背景技術】
【０００２】
携帯電話機のような、表示機能や通信速度の限られた通信端末装置では、ブラウザ機能を有している場合であっても、全てのＷｅｂページを閲覧できない場合がある。例えば、携帯電話機では、パーソナルコンピュータ向けに作成されたＷｅｂページを閲覧できない場合がある。その場合、Ｗｅｂサーバは、通信端末装置の種類やブラウザの種類毎に、異なるＷｅｂページを用意しなければならない。
【０００３】
端末装置の特性や能力等に応じて別々のコンテンツデータを用意することなく、端末装置に応じた最適なコンテンツデータを提示することができ、また、複数の端末装置にまたがったシームレスなコンテンツデータの利用を可能とする情報提示装置が提案されている（例えば、特許文献１参照）。特許文献１には、各端末装置の動作環境や種類を示す情報にもとづいて最適な素材データを選定し、コンテンツデータを動的に構成することが記載されている。また、ある端末装置において、コンテンツデータに含まれる所望の素材データを示すメディアマークをサーバ装置に記憶することにより、異なる端末装置においても、サーバ装置に記憶されたメディアマークを選択して、メディアマークが示す素材データを含むコンテンツデータを表示できることが記載されている。
【０００４】
また、どのような端末やソフトウェアを使用していても、予め登録しておけば、ユーザの表示端末に適切な表示等を行わせることができるデータ変換サービス方法が提案されている（例えば、特許文献２参照）。特許文献２には、Ｗｅｂページ形式のデータ等を、要求のあった端末装置の表示仕様に適合するように変換して送信することが記載されている。
【０００５】
【特許文献１】特開２００５−２１６２１５号公報（段落００８５−００９１）
【特許文献２】特開２００４−７８３５４号公報（段落００３２−００３５）
【発明の開示】
【発明が解決しようとする課題】
【０００６】
しかし、特許文献１に記載された方式では、サーバ装置が、各端末装置に対応した素材データ（コンテンツ自体の素材データ）を保持記憶し、各素材データの属性情報に対応した属性ＩＤを付与しなければならないため、例えば、サーバ装置の記憶容量が圧迫されたり、処理が大量になる可能性がある。また、表示履歴を管理するために、端末装置は、表示されたコンテンツデータに含まれる各素材データに加えて属性ＩＤを取得して記憶し、サーバ装置に送信する。そのため、例えば、各端末装置においても記憶容量を確保する必要がある。
【０００７】
また、特許文献１，２に記載された方式では、サーバ装置が、端末装置に応じたコンテンツデータやＷｅｂページ等を随時構成するため、大量の処理を行う必要がある。また、特許文献１，２に記載された方式は、コンテンツデータ自体を自システムで保持する必要があるため、Ｗｅｂサイト等を提供する不特定多数のサーバ装置毎に適用される必要がある。
【０００８】
近年では、携帯電話機等の携帯通信端末装置のブラウザ機能（例えば、フルブラウザの登場）やＬＣＤの解像度、通信速度等の向上により、パーソナルコンピュータ向けに作成されたＷｅｂページを、携帯電話機等においても閲覧することができるようになってきている。そのため、パーソナルコンピュータ向け、携帯電話機向け、といったＷｅｂページの区別をする必要がなくなってきている。そこで、パーソナルコンピュータで以前に閲覧したＷｅｂページを、携帯電話機から参照するといった利用シーンが考えられる。
【０００９】
しかし、ある通信端末装置においてブックマーク登録や履歴登録がされている場合であっても、他の通信端末装置に登録されていない場合、利用することができない。そのため、異なる通信端末装置において、同じＷｅｂページを表示するためには、それぞれの通信端末装置においてそのＷｅｂページのＵＲＬを記録しておいて入力したり、改めて検索したりする必要がある。特に、携帯電話機では、パーソナルコンピュータと比較して文字入力が煩雑であるため、このような作業を行うことはユーザの利便性という観点から見て好ましくない。また、参照したいＷｅｂページが、検索結果を示すページである場合には、同一ページを見つけることができない場合がある。
【００１０】
そこで、本発明は、異なる通信端末装置において、ブックマークや表示履歴等のブラウザにおいて使用されるデータを共有することができるブラウザデータ共有システム、ブラウザデータ共有サーバ、ブラウザデータ共有方法およびブラウザデータ共有プログラムを提供することを目的とする。
【課題を解決するための手段】
【００１１】
本発明によるブラウザデータ共有システムは、Ｗｅｂサイトの所在を示すブラウザデータを通信端末装置間で共有するブラウザデータ共有システムであって、第１の通信端末装置から受信したブラウザデータを記憶するデータ記憶手段と、第１の通信端末装置とは異なる種類のブラウザを搭載した第２の通信端末装置から、当該第２の通信端末装置が搭載するブラウザを特定可能なユーザエージェント情報を、通信ネットワークを介して受信する受信手段と、受信手段が受信したユーザエージェント情報にもとづいて、データ記憶手段が記憶するブラウザデータのフォーマットを変換するフォーマット変換手段と、フォーマット変換手段が変換した変換後のブラウザデータを第２の通信端末装置に送信するデータ送信手段とを備えたことを特徴とする。
【００１２】
第１の通信端末装置から受信したブラウザデータを予め定められたフォーマットに変換するデータ変換手段を備え、データ記憶手段は、データ変換手段が変換した変換後のブラウザデータを記憶することが望ましい。そのような構成によれば、通信端末装置に依存しないフォーマットでブラウザデータを記憶することができる。
【００１３】
ユーザを識別するためのユーザ識別情報を受信するユーザ識別情報受信手段を備え、データ記憶手段は、ブラウザデータをユーザ識別情報に対応付けて記憶し、フォーマット変換手段は、ユーザ識別情報受信手段が受信したユーザ識別情報にもとづいてブラウザデータを抽出し、抽出したブラウザデータのフォーマットを変換することが望ましい。そのような構成によれば、ユーザ識別情報に対応するブラウザデータを抽出することができる。
【００１４】
本発明によるブラウザデータ共有サーバは、Ｗｅｂサイトの所在を示すブラウザデータを通信端末装置間で共有するブラウザデータ共有サーバであって、第１の通信端末装置から受信したブラウザデータを記憶するデータ記憶手段と、第１の通信端末装置とは異なる種類のブラウザを搭載した第２の通信端末装置から、当該第２の通信端末装置が搭載するブラウザを特定可能なユーザエージェント情報を、通信ネットワークを介して受信する受信手段と、受信手段が受信したユーザエージェント情報にもとづいて、データ記憶手段が記憶するブラウザデータのフォーマットを変換するフォーマット変換手段と、フォーマット変換手段が変換した変換後のブラウザデータを第２の通信端末装置に送信するデータ送信手段とを備えたことを特徴とする。
【００１５】
本発明によるブラウザデータ共有方法は、Ｗｅｂサイトの所在を示すブラウザデータを通信端末装置間で共有するブラウザデータ共有方法であって、第１の通信端末装置から受信したブラウザデータを記憶手段に記憶させ、第１の通信端末装置とは異なる種類のブラウザを搭載した第２の通信端末装置から、当該第２の通信端末装置が搭載するブラウザを特定可能なユーザエージェント情報を、通信ネットワークを介して受信し、受信したユーザエージェント情報にもとづいて、記憶手段が記憶するブラウザデータのフォーマットを変換し、変換後のブラウザデータを第２の通信端末装置に送信することを特徴とする。
【００１６】
本発明によるブラウザデータ共有プログラムは、Ｗｅｂサイトの所在を示すブラウザデータを通信端末装置間で共有するためのブラウザデータ共有プログラムであって、コンピュータに、第１の通信端末装置から受信したブラウザデータを記憶させる処理と、第１の通信端末装置とは異なる種類のブラウザを搭載した第２の通信端末装置から、当該第２の通信端末装置が搭載するブラウザを特定可能なユーザエージェント情報を、通信ネットワークを介して受信する処理と、受信したユーザエージェント情報にもとづいて、記憶手段が記憶するブラウザデータのフォーマットを変換する処理と、変換後のブラウザデータを第２の通信端末装置に送信する処理とを実行させることを特徴とする。
【発明の効果】
【００１７】
本発明によれば、異なる通信端末装置においてブラウザデータを共有することができるという効果がある。また、ブラウザデータを参照する通信端末装置に応じたフォーマットのブラウザデータを受信することができる。
【発明を実施するための最良の形態】
【００１８】
以下、本発明の実施の形態を図面を参照して説明する。図１は、本発明によるブラウザデータ共有システムの実施の一形態を示すブロック図である。図１に示すブラウザデータ共有システムは、ブラウザにおいて使用されるブラウザデータを保存するサーバ１と、ブラウザ機能を有するパーソナルコンピュータ３と、ブラウザ機能を有する携帯電話機４とを備える。パーソナルコンピュータ３および携帯電話機４は、インターネット２等の通信ネットワークを介してサーバ１に接続可能である。なお、図１には、サーバ１が、ブラウザデータとしてブックマークを保存する場合を例示する。
【００１９】
サーバ１は、プログラムにしたがって動作し、各通信端末装置がブックマークに登録するＷｅｂページのＵＲＬを保存するサーバ装置である。例えば、サーバ１は、各通信端末装置から、ブックマークに登録するＷｅｂページのＵＲＬを含む情報を受信して保存する。以下、各通信端末装置がブックマークに登録するＷｅｂページのＵＲＬを含む情報をＵＲＬ情報と表記する。
【００２０】
ここで、各通信端末装置が送信するＵＲＬ情報は、例えば、通信端末装置やブラウザの種類によってフォーマットが異なる場合がある。そのため、サーバ１は、各通信端末装置によって送信されたＵＲＬ情報を、予め定められたフォーマットに変換して保存する。例えば、サーバ１は、ＵＲＬ情報がパーソナルコンピュータ向けのＷｅｂページのＵＲＬ情報である場合にはそのまま保存し、携帯電話機向けのＷｅｂページのＵＲＬ情報である場合にはＵＲＬの末尾の「／ｉ／」等を削除して保存する。また、サーバ１は、例えば、ＵＲＬ情報を暗号化して保存してもよい。サーバ１は、例えば、ブックマークを蓄積するためのブックマークデータベースを含み、ユーザを識別可能なユーザ識別情報と変換したＵＲＬ情報とを対応付けてブックマークデータベースに記憶させる。
【００２１】
また、サーバ１は、通信端末装置がブックマークを参照する際に、その通信端末装置のブラウザのユーザエージェント情報にもとづいて、ＵＲＬ情報を最適なフォーマットに変換し、変換されたＵＲＬ情報を通信端末装置に送信する。なお、最適なフォーマットとは、例えば、通信端末装置やブラウザの種類に応じたフォーマットである。例えば、サーバ１は、ユーザエージェント情報がパーソナルコンピュータ用のブラウザを示す情報である場合、ＵＲＬ情報をそのまま送信する。また、例えば、サーバ１は、ユーザエージェント情報が携帯電話機用のブラウザを示す情報である場合、ＵＲＬの末尾に「／ｉ／」を追加して送信する。また、例えば、サーバ１は、ＵＲＬ情報が暗号化されている場合には、復号化して送信する。ここで、サーバ１は、ブックマークを参照する通信端末装置のユーザ識別情報に対応するＵＲＬ情報を送信する。
【００２２】
パーソナルコンピュータ３は、プログラムにしたがって動作し、ＷｅｂページのＵＲＬをブックマークに登録する。ここで、パーソナルコンピュータ３は、サーバ１にＷｅｂページのＵＲＬを登録する。パーソナルコンピュータ３は、ＷｅｂページのＵＲＬをブックマークに登録する際、ユーザ識別情報とブックマークに登録するＷｅｂページのＵＲＬ情報とを含む情報をサーバ１に送信する。なお、パーソナルコンピュータ３が送信するＵＲＬ情報は、パーソナルコンピュータ３が有するブラウザ機能等に応じたフォーマットであってもよい。なお、図１では、１つのパーソナルコンピュータ３を例示しているが、ブックマーク共有システムは、複数のパーソナルコンピュータ３を備えてもよい。
【００２３】
携帯電話機４は、プログラムにしたがって動作し、サーバ１に登録されたブックマークを参照する。ここで、携帯電話機４は、ブックマークを参照する際、ユーザ識別情報とブラウザのユーザエージェント情報とをサーバ１に送信する。そして、サーバ１から、ユーザ識別情報に対応し、かつ最適なフォーマットに変換されたＵＲＬ情報を受信する。なお、ユーザエージェント情報とは、携帯電話機４が搭載するユーザエージェント（本例ではブラウザ）を識別可能な識別子である。
【００２４】
サーバ１がサーバ装置で実現される場合には、上記のサーバ１の機能は、サーバ装置に搭載されるＣＰＵが、それらの機能を実現するためのプログラムを実行することによって実現される。
【００２５】
図１に示す構成において、パーソナルコンピュータ３とサーバ１、および携帯電話機４とサーバ１とは、インターネット２を介して通信を行う。したがって、サーバ１、パーソナルコンピュータ３および携帯電話機４は、インターネット２などの通信ネットワークに対するインタフェース部を含む。
【００２６】
本実施の形態において、データ受信手段、データ送信手段およびユーザ識別情報受信手段は、サーバ１に含まれるインタフェース部によって実現される。データ記憶手段は、ブックマークデータベースによって実現される。フォーマット変換手段およびデータ変換手段は、サーバ１に搭載されるＣＰＵ等の制御部によって実現される。
【００２７】
次に、図面を参照して本実施の形態の動作について説明する。図２は、本実施の形態におけるブックマークを登録する処理を示すフローチャートである。
【００２８】
パーソナルコンピュータ３は、ブックマークとしてＷｅｂページのＵＲＬをサーバ１に登録する（ステップＳ１１）。例えば、パーソナルコンピュータ３は、ＷｅｂページＡのＵＲＬをブックマークに登録する。ここで、パーソナルコンピュータ３は、ユーザ識別情報とＷｅｂページＡのＵＲＬ情報とを含む情報を、インターネット２を介してサーバ１に送信する。
【００２９】
サーバ１は、パーソナルコンピュータ３によって送信されたユーザ識別情報とＵＲＬ情報とを含む情報を受信する（ステップＳ１２）。次に、サーバ１は、受信したＵＲＬ情報を予め定められたフォーマットに変換し（ステップＳ１３）、ユーザ識別情報と対応付けて保存し（ステップＳ１４）、一連の処理を終了する。例えば、サーバ１は、ブックマークデータベースに、ユーザ識別情報と変換したＵＲＬ情報とを対応付けて記憶させる。
【００３０】
次に、ブックマークを参照する処理について説明する。図３は、本実施の形態におけるブックマークを参照する処理を示すフローチャートである。
【００３１】
携帯電話機４は、サーバ１に登録されたブックマークを参照する（ステップＳ２１）。ここで、携帯電話機４は、ユーザ識別情報とブラウザのユーザエージェント情報とをインターネット２を介してサーバ１に送信する。
【００３２】
サーバ１は、携帯電話機４によって送信されたユーザ識別情報とユーザエージェント情報とを受信する（ステップＳ２２）。サーバ１は、受信したユーザ識別情報に対応するＵＲＬ情報をブックマークデータベースから抽出する（ステップＳ２３）。サーバ１は、ステップＳ２３において抽出したＵＲＬ情報を、受信したユーザエージェント情報にもとづいて最適なフォーマットに変換する（ステップＳ２４）。そして、サーバ１は、変換されたＵＲＬ情報をインターネット２を介して携帯電話機４に送信する（ステップＳ２５）。なお、その後、携帯電話機４は、受信したＵＲＬ情報に基づいて、Ｗｅｂサーバにアクセスする。
【００３３】
なお、上記の実施の形態では、パーソナルコンピュータ３がサーバ１に登録したブックマークを、携帯電話機４が参照する場合を例示したが、例えば、携帯電話機４がサーバ１に登録したブックマークをパーソナルコンピュータ３が参照してもよい。
【００３４】
次に、サーバ１が、ブラウザデータとして表示履歴を保存する場合について説明する。図４は、本発明によるブラウザデータ共有システムの他の実施の形態を示すブロック図である。図４に示すブラウザデータ共有システムは、ブラウザデータを保存するサーバ１と、ブラウザ機能を有するパーソナルコンピュータ３と、ブラウザ機能を有する携帯電話機４とを備える。パーソナルコンピュータ３および携帯電話機４は、インターネット２を介してサーバ１に接続可能である。図４には、サーバ１が、ブラウザデータとして表示履歴を保存する場合を例示する。
【００３５】
まず、表示履歴登録処理について説明する。パーソナルコンピュータ３のブラウザは、ブラウザ終了時に、表示履歴情報を予め定められたフォーマットでサーバ１に自動的に送信する。例えば、パーソナルコンピュータ３は、表示履歴情報として、閲覧していたＷｅｂページのＵＲＬ（アドレスＢ）を含む情報を送信する。ここで、パーソナルコンピュータ３は、ユーザ識別情報とアドレスＢの表示履歴情報とをインターネット２を介してサーバ１に送信する。なお、パーソナルコンピュータ３は、表示履歴情報をそのまま送信し、サーバ１が所定のフォーマットに変換して保存してもよい。例えば、サーバ１は、表示履歴情報がパーソナルコンピュータ向けのＷｅｂページのＵＲＬを含む場合にはそのまま保存する。また、サーバ１は、表示履歴情報を暗号化してもよい。
【００３６】
サーバ１は、例えば、表示履歴情報を記憶する表示履歴データベースを備える。例えば、サーバ１は、パーソナルコンピュータ３によって送信されたユーザ識別情報と表示履歴情報とを対応付けて、表示履歴データベースに記憶させる。
【００３７】
次に、表示履歴参照処理について説明する。携帯電話機４は、ユーザ識別情報とブラウザのユーザエージェント情報とを含む情報をサーバ１に送信し、サーバ１はこれを受信する。サーバ１は、受信したユーザエージェント情報にもとづいて、ユーザ識別情報に対応する表示履歴情報を最適なフォーマットに変換する。例えば、サーバ１は、受信したユーザエージェント情報が携帯電話機用のブラウザを示す情報である場合、ＵＲＬの末尾に「／ｉ／」を追加する。また、サーバ１は、例えば、表示履歴情報が暗号化されている場合には復号化する。そして、サーバ１は、変換された表示履歴情報を携帯電話機４に送信する。
【００３８】
なお、上記の実施の形態では、パーソナルコンピュータ３がサーバ１に記録した表示履歴を、携帯電話機４が参照する場合を例示したが、例えば、携帯電話機４がサーバ１に記録した表示履歴をパーソナルコンピュータ３が参照してもよい。
【００３９】
以上に説明したように、本実施の形態によれば、異なる端末のブラウザ間でデータを共有することができるという効果がある。例えば、ユーザが複数の端末を所有している場合、ある端末において自分のユーザ名で登録したブックマークや表示履歴を、他の端末で参照することができる。また、端末（ブラウザ）に依存しないフォーマットでデータを保存することができるとともに、データを参照するブラウザの種類に応じた最適なフォーマットのデータを送信することができる。また、コンテンツ自体を保存しなくても、例えば、直前にパーソナルコンピュータで閲覧していたページを携帯電話機からすぐに閲覧できるようにすることができ、ユーザの利便性の向上を図ることができる。
【００４０】
また、端末毎に必要であったデータ保存領域を節約することができるとともに、端末故障時のデータ損失を防止することができる。
【００４１】
なお、上記の実施の形態では、通信端末装置としてパーソナルコンピュータと携帯電話機とを例示したが、ブラウザ機能を有する任意の端末であってもよい。また、ブラウザに関するブラウザデータとして、ブックマークと表示履歴とを例示したが、ブラウザに関する任意のデータを対象とする。
【産業上の利用可能性】
【００４２】
本発明は、インターネット等の通信ネットワークに接続された複数の通信端末装置においてＷｅｂブラウザを使用する用途に効果的に適用できる。
【図面の簡単な説明】
【００４３】
【図１】本発明によるブラウザデータ共有システムの実施の一形態を示すブロック図である。
【図２】本実施の形態におけるブックマークを登録する処理を示すフローチャートである。
【図３】本実施の形態におけるブックマークを参照する処理を示すフローチャートである。
【図４】本発明によるブラウザデータ共有システムの他の実施の形態を示すブロック図である。
【符号の説明】
【００４４】
１  サーバ
２  インターネット
３  パーソナルコンピュータ
４  携帯電話機
【図１】
2008097201.tif 000003
【図２】
2008097201.tif 000004
【図３】
2008097201.tif 000005
【図４】
2008097201.tif 000006